(57)【要約】      （修正有）【課題】様々な用途及び目的に対応できるようにして汎用性及び多様性を高めるとともに、携帯性を高めて様々な使用場所に自由に持ち運んで使用できる情報表示器を提供する。【解決手段】バッテリ３ａ又は電池を有する電源供給手段Ｆｐと、マイクロコンピュータ４を有するコンピューティング手段Ｆｃと、データ類を書込んだメモリ５を有するデータ記憶手段Ｆｍと、メモリ５から読み出した所定の表示データに対応する文字、図形又は画像を表示パネル２に表示する情報表示手段Ｆｄとを備える。さらに、メモリ５から読み出した所定の音声データに対応する音声をスピーカ６から出力する音声出力手段Ｆｓと、外部から入力するデータ類をメモリ５に書込み又はメモリ５のデータ類と書換えるデータ追加手段Ｆａとを備えるとともに、全体をハウジングに一体に組付けることにより携帯可能に構成する。【選択図】図３
0003173342.tif 000002
【実用新案登録請求の範囲】
【請求項１】
ＬＥＤ又は液晶等を用いた表示パネルに少なくとも文字，図形又は画像を含む情報を表示する情報表示器であって、バッテリ又は電池を有する電源供給手段と、マイクロコンピュータを有するコンピューティング手段と、前記情報に係わる表示データ又は音声データを含むデータ類を書込んだメモリを有するデータ記憶手段と、前記メモリから前記コンピューティング手段により読み出した所定の表示データに対応する文字，図形又は画像を前記表示パネルに表示する情報表示手段と、前記メモリから前記コンピューティング手段により読み出した所定の音声データに対応する音声をスピーカから出力する音声出力手段と、外部から入力するデータ類を前記コンピューティング手段により前記メモリに書込み又は前記メモリのデータ類と書換えるデータ追加手段とを備えるとともに、全体をハウジングに一体に組付けることにより携帯可能に構成したことを特徴とする情報表示器。
【請求項２】
人を検知する人検知センサを備え、この人検知センサにより人を検知したなら、前記情報表示手段による表示及び／又は前記音声出力手段による音声の出力を、予め設定した設定時間だけ行うことを特徴とする請求項１記載の情報表示器。
【請求項３】
タイマ機能を備え、予め設定した一又は二以上の設定時刻になったなら、対応する前記情報表示手段による表示及び／又は前記音声出力手段による音声の出力を、予め設定した設定時間だけ行うことを特徴とする請求項１又は２記載の情報表示器。
【請求項４】
少なくとも吊下具，吸着マグネット，スタンドの一又は二以上を有する表示器設置手段を備えることを特徴とする請求項１，２又は３記載の情報表示器。
【考案の詳細な説明】
【技術分野】
【０００１】
本考案は、ＬＥＤ又は液晶等を用いた表示パネルに少なくとも文字，図形又は画像を含む情報を表示する情報表示器に関する。
【背景技術】
【０００２】
従来、ＬＥＤ（発光ダイオード）を使用したＬＥＤ表示パネルに、文字，図形又は画像を含む情報を表示するようにした比較的小型の情報表示器としては、特許文献１で開示されるサイン・記号・絵等の表示部の照明装置及び特許文献２で開示される情報掲示板が知られている。
【０００３】
特許文献１で開示される照明装置は、道路案内標識，公園などに設置されている車両侵入防止柵、あるいは縁石またはオブジェなどに描かれている各種サイン等の表示部の表示素子の照明装置における低電力および寿命の永い光源と多彩発光色を発することを目的としたものであり、その構成は、固定ブロックで保持された表示部の表示素子を映し出す導光部材である光ファイバーの一端部と、封止体により保持された発光色の異なる複数個の発光ダイオードをレンズ部材を介して発光体ケース内に対時して設け、また、発光色の異なる発光ダイオードを１色以上適宜発光させるようにしたものである。一方、特許文献２で開示される情報掲示板は、災害発生時の防災情報、避難所案内配信や非災害発生時の地域情報の配信機能をコンパクトに景観よく外観を有し、これら情報を市民に対して即効性ある情報提供することを目的としたものであり、その構成は、ゴム製ポールを地中より立設し、該ゴム製ポールの上端に情報機器を設け、該情報機器に、ＬＥＤ文字盤、映像モニター、テレビ音声スピーカ、ＭＣＡ通信用スピーカ及びＭＣＡ通信用マイク、さらには情報受信のためのトルカ機能を内蔵させたものである。
【先行技術文献】
【特許文献】
【０００４】
【特許文献１】特開平９−１５２８４０号公報
【特許文献２】特開２００８−２８７１９９号公報
【考案の概要】
【考案が解決しようとする課題】
【０００５】
しかし、上述した従来の情報表示器（照明装置，情報掲示板）は、次のような問題点があった。
【０００６】
第一に、汎用性及び多様性に欠ける。従来の情報表示器は、特定の用途に対応して構成されるため、他の用途や他の目的に対応して柔軟に使用することができない。したがって、使用できる範囲が特定の用途に限定され、汎用性に劣るとともに、特定の用途に対応した機能以外の他の機能はほとんど考慮されていないため、多様性にも劣るなど、汎用性及び多様性を高める観点からは更なる改善の余地があった。
【０００７】
第二に、携帯性及び設置性に欠ける。従来の情報表示器は、主に、特定の場所に固定設置して使用することを前提に構成されるため、同じ目的で使用する場合であって、他の場所に移して使用することが容易でないとともに、電源も商用電力或いは特定の電力供給が必要となる。即ち、手軽に持ち運ぶことにより様々な用途に使用することは考慮されていないため、携帯性及び設置性の観点からは必ずしも十分であるとはいえなかった。
【０００８】
本考案は、このような背景技術に存在する課題を解決した情報表示器の提供を目的とするものである。
【課題を解決するための手段】
【０００９】
本考案に係る情報表示器１は、上述した課題を解決するため、ＬＥＤ又は液晶等を用いた表示パネル２に少なくとも文字Ｍｗ，図形Ｍｉ又は画像を含む情報Ｇを表示する情報表示器であって、バッテリ３ａ又は電池を有する電源供給手段Ｆｐと、マイクロコンピュータ４を有するコンピューティング手段Ｆｃと、情報Ｇに係わる表示データＤｄ又は音声データＤｓを含むデータ類Ｄを書込んだメモリ５を有するデータ記憶手段Ｆｍと、メモリ５からコンピューティング手段Ｆｃにより読み出した所定の表示データＤｄに対応する文字Ｍｗ，図形Ｍｉ又は画像を表示パネル２に表示する情報表示手段Ｆｄと、メモリ５からコンピューティング手段Ｆｃにより読み出した所定の音声データＤｓに対応する音声をスピーカ６から出力する音声出力手段Ｆｓと、外部から入力するデータ類Ｄをコンピューティング手段Ｆｃによりメモリ５に書込み又はメモリ５のデータ類Ｄと書換えるデータ追加手段Ｆａとを備えるとともに、全体をハウジング７に一体に組付けることにより携帯可能に構成したことを特徴とする。
【００１０】
この場合、考案の好適な態様により、情報表示器１には、人を検知する人検知センサ８を設け、この人検知センサ８により人を検知したなら、情報表示手段Ｆｄによる表示及び／又は音声出力手段Ｆｓによる音声の出力を、所要時間にわたって行うことができる。また、タイマ機能を設け、予め設定した一又は二以上の設定時刻になったなら、対応する情報表示手段Ｆｄによる表示及び／又は音声出力手段Ｆｓによる音声の出力を、予め設定した設定時間だけ行うことができる。さらに、少なくとも吊下具９ａ，吸着マグネット９ｂ，スタンド９ｃの一又は二以上を有する表示器設置手段Ｆｘを設けることができる。
【考案の効果】
【００１１】
このような構成を有する本考案に係る情報表示器１によれば、次のような顕著な効果を奏する。
【００１２】
（１）  情報Ｇに係わる表示データＤｄ又は音声データＤｓを含むデータ類Ｄを書込んだメモリ５を有するデータ記憶手段Ｆｍ，及び外部から入力するデータ類Ｄをコンピューティング手段Ｆｃによりメモリ５に書込み又はメモリ５のデータ類Ｄと書換えるデータ追加手段Ｆａを備えるため、特定の用途や目的に限定されることなく、様々な用途及び目的に対応させることができ、汎用性及び多様性を高めることができる。例えば、表示パネル２を、白色，黄色等により全面点灯させれば、臨時の照明器具（懐中電灯等）として利用できるとともに、タイマ機能と組合わせれば、特定情報を所定時間だけ表示させたり、複数の異なる情報を所定時間おきに切換表示することもできる。
【００１３】
（２）  表示パネル２に、少なくとも文字Ｍｗ，図形Ｍｉ又は画像を含む情報Ｇを表示するとともに、全体をハウジング７に一体に組付けることにより携帯可能に構成し、さらに、バッテリ３ａ又は電池を有する電源供給手段Ｆｐを設けたため、様々な使用場所に自由に持ち運んで使用することができるなど、携帯性に優れる。
【００１４】
（３）  好適な態様により、情報表示器１に、人を検知する人検知センサ８を設け、この人検知センサ８により人を検知したなら、情報表示手段Ｆｄによる表示及び／又は音声出力手段Ｆｓによる音声の出力を、所要時間にわたって行うようにすれば、情報表示器１が必要になるときだけ使用状態にできるため、電力消費を抑制することにより節電を図ることができる。
【００１５】
（４）  好適な態様により、情報表示器１に、タイマ機能を設け、予め設定した一又は二以上の設定時刻になったなら、対応する情報表示手段Ｆｄによる表示及び／又は音声出力手段Ｆｓによる音声の出力を、予め設定した設定時間だけ行うようにすれば、情報表示器１が必要になるときだけ使用状態にできるため、電力消費を抑制することにより節電を図ることができる。しかも、使用者が頻繁に操作する手間が省けるため、労力の軽減を図れるとともに、操作忘れ等を回避することができる。
【００１６】
（５）  好適な態様により、情報表示器１に対して、少なくとも吊下具９ａ，吸着マグネット９ｂ，スタンド９ｃの一又は二以上を有する表示器設置手段Ｆｘを設ければ、様々な使用場所に対応して容易に設置できるなど、設置容易性及び設置柔軟性を高めることができる。
【図面の簡単な説明】
【００１７】
【図１】本考案の好適実施形態に係る情報表示器の外観斜視図、
【図２】同情報表示器の操作パネルのレイアウト図、
【図３】同情報表示器の電気系回路図、
【図４】同情報表示器の設置方法説明図、
【図５】同情報表示器の他の設置方法説明図、
【図６】同情報表示器に備える表示パネルの表示例を示す画面図、
【考案を実施するための形態】
【００１８】
次に、本考案に係る好適実施形態を挙げ、図面に基づき詳細に説明する。
【００１９】
まず、本実施形態に係る情報表示器１の全体の構成について、図１〜図３を参照して説明する。
【００２０】
図１は、情報表示器１の外観構成を示す。情報表示器１は全体を覆う直方体状のハウジング７を備える。このハウジング７は防水構造とすることが望ましい。例示のハウジング７は、横幅が２０〔ｃｍ〕程度であり、形状及び大きさは携帯性が良好となるように考慮する。ハウジング７の上面におけるほぼ全面にはソーラーパネル１１を配設する。また、ハウジング７の上面における左右端位置には、フック１２，１３を取付け、このフック１２と１３間に、ベルト，紐，チェーン等の吊下げ部材１４を架設する。フック１２，１３及び吊下げ部材１４は、吊下具９ａとなり表示器設置手段Ｆｘを構成する。なお、フック１２と１３はハウジング７に対して着脱可能に構成してもよいし、吊下具９ａは携帯時の把持部を兼用させることもできる。
【００２１】
さらに、ハウジング７の前面には、ＬＥＤを用いた表示パネル２を配設する。この表示パネル２は、多数のＬＥＤをドット配列して構成したものであり、少なくとも文字Ｍｗ，図形Ｍｉ又は画像を含む情報Ｇを表示する機能を有する。これにより、後述するメモリ５からコンピューティング手段Ｆｃにより読み出した所定の表示データＤｄに対応する文字Ｍｗ，図形Ｍｉ又は画像を表示する情報表示手段Ｆｄを構成する。また、ハウジング７の前面には、人の存在を検知可能な赤外線センサや特定位置における物体の存在を検知する超音波センサ等の人検知センサ８を配設するとともに、音声を出力するスピーカ６を配設する。このスピーカ６は、後述するメモリ５からコンピューティング手段Ｆｃにより読み出した所定の音声データＤｓに対応する音声を出力する音声出力手段Ｆｓを構成する。なお、図に現れないが、ハウジング７の後面には、後述するバッテリ３ａ又は電池の収容部を有する。
【００２２】
一方、ハウジング７の側面には、開閉式のカバー１５を配設し、このカバー１５の内側に、図２に示す操作パネル２１を配設する。例示する操作パネル２１には、上から、センサ使用モード又は連続表示モードに切換える表示切換スイッチ２２ａ，センサ使用モード又は連続出力モードに切換える音声切換スイッチ２２ｂ，情報入力選択スイッチ２３，ＵＳＢ端子２４…，表示情報選択スイッチ２５，音声情報選択スイッチ２６，メッセージ音量ボリューム２７，ＢＧＭ音量ボリューム２８，外部音源入力ジャック２９，外部電源入力部３０，外部バッテリ入力部３１，電源スイッチ３２等を備えるとともに、さらに、内蔵マイクロフォン３３，録音ボタン３４，録音入力切換スイッチ３５及び電源表示（充電表示）ランプ３６を備えている。
【００２３】
他方、図３には、情報表示器１の電気系回路をブロック図で示す。４はマンクロコンピュータであり、ＣＰＵ，ＲＡＭ等のハードウェアを含む。マンクロコンピュータ４には本実施形態に係る情報表示器１を機能させるためのコンピュータプログラムを格納するプログラムメモリ３ｐを含むとともに、情報Ｇに係わる表示データＤｄ又は音声データＤｓを含むデータ類Ｄを書込むメモリ（データメモリ）５が付属する。したがって、マンクロコンピュータ４は、各種処理及び制御を実行するコンピューティング手段Ｆｃを構成するとともに、メモリ５は、各種データ類Ｄを書込むデータ記憶手段Ｆｍを構成する。一方、前述した表示パネル２は、マンクロコンピュータ４の表示出力ポートに接続するとともに、前述した人検知センサ８は、マンクロコンピュータ４のセンサ接続ポートに接続する。また、前述したスピーカ６は、アンプ４１を介してマンクロコンピュータ４の音声出力ポートに接続するとともに、当該アンプ４１には、前述したメッセージ音量ボリューム２７及びＢＧＭ音量ボリューム２８を接続する。
【００２４】
さらに、ハウジング７にはバッテリ３ａを収容する。例示のバッテリ３ａは、ハウジング６の後面から交換可能である。このバッテリ３ａは、予め充電したものをセットできるとともに、前述したソーラーパネル１１からの電力を充電することもできる。また、バッテリ３ａの代わりに電池を用いることができるとともに、前述した操作パネル２１に設けた外部電源入力部３０から入力する外部電源や外部バッテリ入力部３１から入力する外部バッテリを使用することもできる。この場合、外部電源や外部バッテリによりバッテリ３ａを充電することもできる。なお、外部電源にはＡＣアダプタ等が含まれる。以上により電源供給手段Ｆｐを構成する。
【００２５】
一方、図３において、４２は入出力端子類を示し、前述したＵＳＢ端子２４…，外部音源入力ジャック２９，外部電源入力部３０及び外部バッテリ入力部３１が含まれる。４３は選択スイッチ類を示し、前述した表示切換スイッチ２２ａ，音声切換スイッチ２２ｂ，情報入力選択スイッチ２３，表示情報選択スイッチ２５，音声情報選択スイッチ２６及び録音入力切換スイッチ３５が含まれる。４４はボリューム類を示し、前述したメッセージ音量ボリューム２７及びＢＧＭ音量ボリューム２８が含まれる。その他、３２は電源スイッチを示す。この場合、入出力端子類４２に備えるＵＳＢ端子２４には、パーソナルコンピュータ５１を接続し、パーソナルコンピュータ５１側で作成した情報Ｇに係わる表示データＤｄ及び音声データＤｓを含むデータ類Ｄを情報表示器１に転送することができる。情報表示器１は、データ追加手段Ｆａを備える。したがって、転送されたデータ類Ｄ、即ち、外部から入力するデータ類Ｄはコンピューティング手段Ｆｃによりメモリ５に書込み又はメモリ５のデータ類Ｄと書換えられる。また、３ａｃはバッテリ３ａに対する充電回路、４５ａは内蔵マイクロフォン３３から入力するメッセージを録音する第一音声レコーダ、４５ｂは外部音源入力ジャック２９から入力するＢＧＭを録音する第二音声レコーダをそれぞれ示す。４ｔはマイクロコンピュータ内蔵のタイマを示し、これにより、タイマ使用モードを実現することができる。
【００２６】
以上の各手段、即ち、電源供給手段Ｆｐ，コンピューティング手段Ｆｃ，データ記憶手段Ｆｍ，情報表示手段Ｆｄ，音声出力手段Ｆｓ及びデータ追加手段Ｆａは、全体をハウジング７に一体に組付けることにより携帯可能に構成する。
【００２７】
次に、本実施形態に係る情報表示器１の使用方法及び機能（動作）について、図１〜図６を参照して説明する。
【００２８】
本実施形態に係る情報表示器１は、一時的なイベント、例えば、屋外イベントやお葬式等に用いて最適である。今、屋外イベントを開催するに当たり、観客等の案内路を確保するために、本実施形態に係る情報表示器１を使用する場合を想定する。
【００２９】
まず、情報表示器１…は、必要台数を用意する。なお、各情報表示器１…のメモリ４には、予め使用が予想される各種多数の表示データＤｄ及び音声データＤｓを含むデータ類Ｄを書込み、登録しておく。そして、使用時には、表示情報選択スイッチ２５及び音声情報選択スイッチ２６により、登録した多数のデータＤｄ…，Ｄｓ…から使用する表示データＤｄ及び音声データＤｓを選択する。なお、この際、適切な表示データＤｄ及び音声データＤｓが無い場合には、データ追加手段Ｆａにより、表示データＤｄ及び／又は音声データＤｓを追加することができる。即ち、パーソナルコンピュータ５１を利用して、必要な表示データＤｄ及び／又は音声データＤｓを作成するとともに、作成した表示データＤｄ及び／又は音声データＤｓは、ＵＳＢ端子２４に接続したＵＳＢケーブルを介して情報表示器１のメモリ５に転送する。この場合、メモリ５への書込みは、表示データＤｄ及び／又は音声データＤｓの追加であってもよいし書換であってもよい。さらに、内蔵マイクロフォン３３と録音ボタン３４を使用することにより音声データＤｓを追加及び書換することもできる。
【００３０】
一方、各情報表示器１…は、必要な設置場所へ持って行き、設置を行う。設置する際には、携帯可能な小型の情報表示器１…として構成するため、容易に設置可能であり、各種の表示器設置手段Ｆｘ…を利用して設置場所に適合する設置を行うことができる。例えば、図１に示した吊下具９ａを用いた表示器設置手段Ｆｘの場合には、適当な突起物を利用して吊下げることができる。また、図４は、吸着マグネット９ｂ…を用いた表示器設置手段Ｆｘを示す。したがって、金属板等のマグネットが吸着する壁面Ｗｏ等がある場合には、情報表示器１の後面に設けた一又は二以上の吸着マグネット９ｂ…を用いて容易に設置できる。さらに、図５は、スタンド９ｃを用いた表示器設置手段Ｆｘを示す。したがって、何も無い地面Ｅの場合には、三脚Ｐｏ等のスタンド９ｃを用いて容易に設置できる。三脚Ｐｏの場合には、カメラ用三脚やマイクスタンド等を利用でき、情報表示器１の底面に三脚取付用のネジ孔を設ければよい。このように、情報表示器１には、少なくとも吊下具９ａ，吸着マグネット９ｂ，スタンド９ｃの一又は二以上を有する表示器設置手段Ｆｘを設けることができるため、様々な使用場所に対応して容易に設置できるなど、設置容易性及び設置柔軟性を高めることができる利点がある。他方、表示情報選択スイッチ２５を図２中Ｌｍポジションに切換えれば、表示パネル２を、白色，黄色等により全面点灯させることができ、これにより、臨時の照明器具（懐中電灯等）としても利用可能となる。
【００３１】
そして、設置が終了したなら電源スイッチ３２をＯＮにし、必要な表示データＤｄ及び音声データＤｓを選択する。これにより、例えば、図１の場合には、表示パネル２に、「出口」の文字Ｍｗと矢印の図形Ｍｉを組み合わせた情報ＧがＬＥＤ表示される。なお、他の情報表示器１…には、同様に、「入口」，「順路」等の文字Ｍｗと矢印の図形Ｍｉを組合わせた複数の情報Ｇ…を表示させることができる。この際、文字Ｍｗや図形Ｍｉは、静止表示又はスクロール（流れる）表示を選択できる。
【００３２】
図６（ａ）〜（ｃ）は、表示パネル２に表示する情報Ｇの他の例を示している。図６（ａ）は、英字による文字Ｍｗと進入禁止マークの図形Ｍｉの表示例、図６（ｂ）は、文字Ｍｗのみの表示例、図６（ｃ）は、時刻Ｔの文字Ｍｗを表示して時計機能を含ませた表示例をそれぞれ示す。このように、様々な表示を選択して行わせることができる。一方、スピーカ６からは「開演は２時です」等のメッセージを流すことができるとともに、必要により、その場の雰囲気に合った音楽（ＢＧＭ）を流すこともでき、伝達できる情報を増やすことができる。この表示及び音の出力は電源スイッチ３２をＯＦＦにするまで継続する。なお、設置場所において、予定されていなかった事態が発生した場合、パーソナルコンピュータ５１を接続することにより、その場で状況に合った情報を作成し、表示等を行うことができる。前述した内蔵マイクロフォン３３と録音ボタン３４を使用することにより音声データＤｓを追加及び書換することも同様である。これにより、例えば、表示例としては、「もうしばらくお待ち下さい」等を表示したり、音声例としては、「開演は２時３０分に変更になりました」等の音声を流すことができる。
【００３３】
ところで、例示の情報表示器１は、人を検知する人検知センサ８を備えている。したがって、センサ使用切換スイッチ２２の切換えにより、センサ使用モードを選択することができる。これにより、情報表示器１は、人が近づいた必要なときだけ情報表示器１を使用状態にすることができる。センサ使用モードでは、人を検知しなければ、電源はＯＦＦの状態を維持するが、情報表示器１に人が近づき、人検知センサ８が人の接近を検知すれば、この検知結果はマンクロコンピュータ４に付与されるため、マンクロコンピュータ４では電源がＯＮの状態に切換わる。そして、この時点から、表示パネル２に情報Ｇが表示され、スピーカ６からメッセージが流れる。一方、人検知センサ８が人を検知しなくなったなら、予め設定した設定時間経過後に、電源がＯＦＦの状態になり、以後、人を検出するまで、ＯＦＦの状態を維持する。なお、センサ使用モードは、表示と音声を分けて設定することもできる。例えば、音声のみをセンサ使用モードにし、情報Ｇは常時表示するなどの設定が可能である。したがって、このようなセンサ使用モードを用いれば、電力消費を抑制することにより節電を図ることができる利点がある。
【００３４】
また、タイマ機能によるタイマ使用モードを用いることができる。このタイマ使用モードにより、特定情報を所定時間だけ表示させたり、複数の異なる情報を所定時間おきに切換表示することができる。例えば、１時に開場のコンサートの場合、１２時ごろ情報表示器１を会場入口に設置することにより、１時になると、「こちらからお入り下さい」を表示（音声出力）し、２時になると、「演奏中です。静かにお入り下さい」を表示（音声出力）し、４時になると、表示（音声出力）をＯＦＦにする等の出力パターンを設定できる。このように、情報表示器１に、タイマ機能（タイマ使用モード）を設け、予め設定した一又は二以上の設定時刻になったなら、対応する情報表示手段Ｆｄによる表示及び／又は音声出力手段Ｆｓによる音声の出力を、予め設定した設定時間だけ行うようにすれば、情報表示器１が必要になるときだけ使用状態にできるため、電力消費を抑制することにより節電を図ることができる。しかも、使用者が頻繁に操作する手間が省けるため、労力の軽減を図れるとともに、操作忘れ等を回避することができる。なお、タイマ使用モードとセンサ使用モードは併用することができる。
【００３５】
よって、このような本実施形態に係る情報表示器１によれば、バッテリ３ａ又は電池を有する電源供給手段Ｆｐと、マイクロコンピュータ４を有するコンピューティング手段Ｆｃと、情報Ｇに係わる表示データＤｄ又は音声データＤｓを含むデータ類Ｄを書込んだメモリ５を有するデータ記憶手段Ｆｍと、メモリ５からコンピューティング手段Ｆｃにより読み出した所定の表示データＤｄに対応する文字Ｍｗ又は図形Ｍｉを表示パネル２に表示する情報表示手段Ｆｄと、メモリ５からコンピューティング手段Ｆｃにより読み出した所定の音声データＤｓに対応する音声をスピーカ６から出力する音声出力手段Ｆｓと、外部から入力するデータ類Ｄをコンピューティング手段Ｆｃによりメモリ５に書込み又はメモリ５のデータ類Ｄと書換えるデータ追加手段Ｆａとを備えるとともに、全体をハウジング７に一体に組付けることにより携帯可能に構成したため、特定の用途や目的に限定されることなく、様々な用途及び目的に対応させることができ、汎用性及び多様性を高めることができるとともに、様々な使用場所に自由に持ち運んで使用することができるなど、携帯性に優れる。
【００３６】
以上、好適実施形態について詳細に説明したが、本考案は、このような実施形態に限定されるものではなく、細部の構成，形状，素材，数量等において、本考案の要旨を逸脱しない範囲で、任意に変更，追加，削除することができる。例えば、表示パネル２における一般的な機能、例えば、明るさ調整やカラー化等は任意に追加したり変更して実施できる。また、表示パネル２として、ＬＥＤを用いた表示パネルを例示したが液晶等を用いた表示パネルであってもよい。さらに、情報として、文字Ｍｗ及び図形Ｍｉを例示したが、画像（動的画像を含む）であってもよいし、これらの一又は二以上の組合わせであってもよい。他方、例示の情報表示器１は、ソーラーパネル１１…を一体に組付けたため、ハウジング７の奥行寸法が大きくなったが、ソーラーパネル１１…を、無くした形態，着脱式の形態又は折畳式の形態等により構成した場合には、ハウジング７の奥行寸法を、例えば、３〔ｃｍ〕以下となる薄型形態として構成することもできる。他方、無線データ通信ユニットを内蔵し、パーソナルコンピュータ５１に専用の送受信機を接続することにより、情報表示や音声メッセージの開始／停止，データの選択や追加・書換，使用モードの選択等を遠隔操作可能に構成することもできる。
【産業上の利用可能性】
【００３７】
本考案に係る情報表示器は、お葬式や各種イベントをはじめ、事故や工事に対する案内や誘導，駐車場や展示物等への案内や誘導，商店や施設の案内や誘導、災害時や非常時の情報伝達や誘導等、特に、電源を確保できない場所や夜間等において案内が必要な場合など、各種用途に利用することができる。
【符号の説明】
【００３８】
１：情報表示器，２：表示パネル，３ａ：バッテリ，４：マイクロコンピュータ，５：メモリ，６：スピーカ，７：ハウジング，８：人検知センサ，９ａ：吊下具，９ｂ：吸着マグネット，９ｃ：スタンド，Ｍｗ：文字，Ｍｉ：図形，Ｇ：情報，Ｆｐ：電源供給手段，Ｆｃ：コンピューティング手段，Ｆｍ：データ記憶手段，Ｆｄ：情報表示手段，Ｆｓ：音声出力手段，Ｆａ：データ追加手段，Ｆｘ：表示器設置手段
【図１】
0003173342.tif 000003
【図２】
0003173342.tif 000004
【図３】
0003173342.tif 000005
【図４】
0003173342.tif 000006
【図５】
0003173342.tif 000007
【図６】
0003173342.tif 000008